(57)【要約】【課題】  設定項目選択時に、方向ボタンと画面表示を直感的にリンクさせ、より少ない操作部材で判りやすく素早い操作を提供する。【解決手段】  撮像装置１００の方向ボタン３０５〜３０８になされた操作に基づいて操作方向を判定し（Ｓ３００１〜３００４）、前記操作によって指示可能な複数の選択候補を判定された操作方向の方向成分を持ったベクトルと平行に並べて表示し（Ｓ３００５〜Ｓ３００８）、選択操作を行う。【選択図】  図３
2012022709.tif 000002
【特許請求の範囲】
【請求項１】
第１の操作部材と、
第２の操作部材と、
第３の操作部材と、
第４の操作部材と、
前記第１の操作部材が操作されたことに応じて、該第１の操作部材の操作に応じて選択可能な複数の項目を第１の方向と平行に並べて表示手段に表示するように制御し、
前記第３の操作部材が操作されたことに応じて、該第３の操作部材の操作に応じて選択可能な複数の項目を、前記第１の方向と平行でない第３の方向と平行に並べて表示手段に表示するように制御する表示制御手段と、
前記表示制御手段によって複数の項目が前記第１の方向と平行に並べて表示された後に前記第１の操作部材が操作されることに応じて、選択される項目を、該複数の項目のうち現在選択されている項目から前記第１の方向の他の項目に切り換えるよう制御し、
前記表示制御手段によって複数の項目が前記第３の方向と平行に並べて表示された後に前記第３の操作部材が操作されることに応じて、選択される項目を、該複数の項目のうち現在選択されている項目から前記第３の方向の他の項目に切り換えるよう制御する制御手段と
を有することを特徴とする情報表示装置。
【請求項２】
第１の操作部材と、
第２の操作部材と、
第３の操作部材と、
第４の操作部材と、
前記第１の操作部材が操作されたことに応じて、該第１の操作部材の操作に応じて選択可能な複数の項目を第１の軸上に並べて表示手段に表示するように制御し、
前記第３の操作部材が操作されたことに応じて、該第３の操作部材の操作に応じて選択可能な複数の項目を、前記第１の軸と平行でない第２の軸上に並べて表示手段に表示するように制御する表示制御手段と、
前記表示制御手段によって複数の項目が前記第１の軸上に並べて表示された後に前記第１の操作部材が操作されることに応じて、選択される項目を、該複数の項目のうち現在選択されている項目から第１の方向の他の項目に切り換えるよう制御し、
前記表示制御手段によって複数の項目が前記第２の軸上に並べて表示された後に前記第３の操作部材が操作されることに応じて、選択される項目を、該複数の項目のうち現在選択されている項目から第３の方向の他の項目に切り換えるよう制御する制御手段と
を有することを特徴とする情報表示装置。
【請求項３】
前記表示制御手段は、前記第１の操作部材の操作に応じて選択可能な複数の項目を１列に並べて表示するように制御することを特徴とする請求項１または２に記載の情報表示装置。
【請求項４】
前記表示制御手段は、前記第１の操作部材の操作に応じて選択可能な複数の項目を、前記第１の方向に向かって順方向となる順序で並べて表示するように制御することを特徴とする請求項１乃至３の何れか１項に記載の情報表示装置。
【請求項５】
前記表示制御手段は、前記第１の操作部材が操作されたことに応じて、該第１の操作部材の操作に応じて選択可能な複数の項目を、前記第１の方向に徐々に開くようなアニメーション効果をつけて表示するように制御することを特徴とする請求項１乃至４の何れか１項に記載の情報表示装置。
【請求項６】
前記第１の方向は、前記第２の操作部材が配置された位置から前記第１の操作部材が配置された位置へと向かう方向であることを特徴とする請求項１乃至５の何れか１項に記載の情報表示装置。
【請求項７】
前記表示制御手段は、前記第２の操作部材が操作されたことに応じて、該第２の操作部材の操作に応じて選択可能な複数の項目であって、前記第１の操作部材が操作されたことに応じて表示される項目とは異なる複数の項目を前記第１の方向と平行に並べて表示手段に表示するように制御し、
前記制御手段は、前記表示制御手段によって、前記第２の操作部材が操作されたことに応じて前記複数の項目が前記第１の方向と平行に並べて表示された後に前記第１の操作部材が操作されることに応じて、選択される項目を、該複数の項目のうち現在選択されている項目から前記第１の方向の他の項目に切り換え、前記表示制御手段によって、前記第２の操作部材が操作されたことに応じて前記複数の項目が前記第１の方向と平行に並べて表示された後に前記第２の操作部材が操作されることに応じて、選択される項目を、該複数の項目のうち現在選択されている項目から前記第２の方向の他の項目に切り換えるよう制御することを特徴とする請求項１乃至６の何れか１項に記載の情報表示装置。
【請求項８】
前記表示制御手段は、前記第２の操作部材が操作されたことに応じて、該第２の操作部材の操作に応じて選択可能な複数の項目であって、前記第１の操作部材が操作されたことに応じて表示される項目とは異なる複数の項目を前記第１の軸と平行に並べて表示手段に表示するように制御し、
前記制御手段は、前記表示制御手段によって、前記第２の操作部材が操作されたことに応じて前記複数の項目が前記第１の軸と平行に並べて表示された後に前記第１の操作部材が操作されることに応じて、選択される項目を、該複数の項目のうち現在選択されている項目から前記第１の方向の他の項目に切り換え、前記表示制御手段によって、前記第２の操作部材が操作されたことに応じて前記複数の項目が前記第１の軸と平行に並べて表示された後に前記第２の操作部材が操作されることに応じて、選択される項目を、該複数の項目のうち現在選択されている項目から前記第２の方向の他の項目に切り換えるよう制御することを特徴とする請求項２に記載の情報表示装置。
【請求項９】
前記表示制御手段は、前記第１の操作部材が操作されたことに応じて、該第１の操作部材の操作に応じて選択可能な複数の項目が並べて表示された後に、前記第１の操作部材と前記第２の操作部材以外の操作部材が操作されることに応じて、前記複数の項目の表示を終了するように制御することを特徴とする請求項１乃至８の何れか１項に記載の情報表示装置。
【請求項１０】
前記第１乃至第４の操作部材は、上下左右に配置された方向ボタンであり、それぞれ右ボタン、左ボタン、下ボタン、上ボタンであることを特徴とする請求項１乃至９の何れか１項に記載の情報表示装置。
【請求項１１】
第１の操作と第２の操作と第３の操作と第４の操作とが可能な操作部材と、
前記操作部材に対する第１の操作が行われたことに応じて、前記第１の操作に応じて選択可能な複数の項目を、第１の方向と平行に並べて表示手段に表示するように制御し、
前記操作部材に対する第３の操作が行われたことに応じて、前記第３の操作に応じて選択可能な複数の項目を、前記第１の方向と平行でない第３の方向と平行に並べて表示手段に表示するように制御する表示制御手段と、
前記表示制御手段によって複数の項目が前記第１の方向と平行に並べて表示された後に前記操作部材で前記第１の操作が行われたことに応じて、選択される項目を、該複数の項目のうち現在選択されている項目から前記第１の方向の他の項目に切り換えるよう制御し、
前記表示制御手段によって複数の項目が前記第３の方向と平行に並べて表示された後に前記操作部材で前記第３の操作が行われたことに応じて、選択される項目を、該複数の項目のうち現在選択されている項目から前記第３の方向の他の項目に切り換えるよう制御する制御手段と
を有することを特徴とする情報表示装置。
【請求項１２】
第１の操作と第２の操作と第３の操作と第４の操作とが可能な操作部材と、
前記操作部材に対する第１の操作が行われたことに応じて、前記第１の操作に応じて選択可能な複数の項目を、第１の軸上に並べて表示手段に表示するように制御し、
前記操作部材に対する第３の操作が行われたことに応じて、前記第３の操作に応じて選択可能な複数の項目を、前記第１の軸と平行でない第２の軸上に並べて表示手段に表示するように制御する表示制御手段と、
前記表示制御手段によって複数の項目が前記第１の軸上に並べて表示された後に前記操作部材で前記第１の操作が行われたことに応じて、選択される項目を、該複数の項目のうち現在選択されている項目から第１の方向の他の項目に切り換えるよう制御し、
前記表示制御手段によって複数の項目が前記第２の軸上に並べて表示された後に前記操作部材で前記第３の操作が行われたことに応じて、選択される項目を、該複数の項目のうち現在選択されている項目から第３の方向の他の項目に切り換えるよう制御する制御手段と
を有することを特徴とする情報表示装置。
【請求項１３】
前記表示制御手段は、前記第１の操作に応じて選択可能な複数の項目を１列に並べて表示するように制御することを特徴とする請求項１１または１２に記載の情報表示装置。
【請求項１４】
前記表示制御手段は、前記第１の操作に応じて選択可能な複数の項目を、前記第１の方向に向かって順方向となる順序で並べて表示するように制御することを特徴とする請求項１１乃至１３の何れか１項に記載の情報表示装置。
【請求項１５】
前記表示制御手段は、前記第１の操作が行われたことに応じて、該第１の操作に応じて選択可能な複数の項目を、前記第１の方向に徐々に開くようなアニメーション効果をつけて表示するように制御することを特徴とする請求項１１乃至１４の何れか１項に記載の情報表示装置。
【請求項１６】
前記表示制御手段は、前記第２の操作が行われたことに応じて、該第２の操作に応じて選択可能な複数の項目であって、前記第１の操作が行われたことに応じて表示される項目とは異なる複数の項目を前記第１の方向と平行に並べて表示手段に表示するように制御し、
前記制御手段は、前記表示制御手段によって、前記第２の操作が行われたことに応じて前記複数の項目が前記第１の方向と平行に並べて表示された後に前記第１の操作が行われることに応じて、選択される項目を、該複数の項目のうち現在選択されている項目から前記第１の方向の他の項目に切り換え、前記表示制御手段によって、前記第２の操作が行われたことに応じて前記複数の項目が前記第１の方向と平行に並べて表示された後に前記第２の操作が行われることに応じて、選択される項目を、該複数の項目のうち現在選択されている項目から前記第２の方向の他の項目に切り換えるよう制御することを特徴とする請求項１１乃至１５の何れか１項に記載の情報表示装置。
【請求項１７】
前記表示制御手段は、前記第２の操作が行われたことに応じて、該第２の操作に応じて選択可能な複数の項目であって、前記第１の操作が行われたことに応じて表示される項目とは異なる複数の項目を前記第１の軸と平行に並べて表示手段に表示するように制御し、
前記制御手段は、前記表示制御手段によって、前記第２の操作が行われたことに応じて前記複数の項目が前記第１の軸と平行に並べて表示された後に前記第１の操作が行われることに応じて、選択される項目を、該複数の項目のうち現在選択されている項目から前記第１の方向の他の項目に切り換え、前記表示制御手段によって、前記第２の操作が行われたことに応じて前記複数の項目が前記第１の軸と平行に並べて表示された後に前記第２の操作が行われることに応じて、選択される項目を、該複数の項目のうち現在選択されている項目から前記第２の方向の他の項目に切り換えるよう制御することを特徴とする請求項１２に記載の情報表示装置。
【請求項１８】
前記表示制御手段は、前記第１の操作が行われたことに応じて、該第１の操作に応じて選択可能な複数の項目が並べて表示された後に、前記第１の操作と第２の操作以外の操作が行われることに応じて、前記複数の項目の表示を終了するように制御することを特徴とする請求項１１乃至１７の何れか１項に記載の情報表示装置。
【請求項１９】
前記操作部材は、上下左右方向に操作可能であることを特徴とする請求項１１乃至１８のいずれか１項に記載の情報表示装置。
【請求項２０】
前記操作部材は、ジョイスティック、トラックボール、十字キー、タッチパネルの何れかであることを特徴とする請求項１９に記載の情報表示装置。
【請求項２１】
前記第３の方向は前記第１の方向と垂直な方向であることを特徴とする請求項１乃至２０の何れか１項に記載の情報表示装置。
【請求項２２】
前記第１の方向は前記表示手段での表示方向における右方向であり、前記第３の方向は前記表示手段での表示方向における下方向であることを特徴とする請求項１乃至２１のいずれか１項に記載の情報表示装置。
【請求項２３】
前記第１の方向は前記表示手段上の横方向と平行であり、前記第３の方向は前記表示手段上での縦方向と平行であることを特徴とする請求項１乃至２２のいずれか１項に記載の情報表示装置。
【請求項２４】
前記項目は当該情報表示装置に関する設定項目であり、前記複数の項目が表示されていない状態から該複数の項目が表示される場合は、該複数の項目が表示される直前に当該情報表示装置に設定されていた設定項目が選択された状態で表示されることを特徴とする請求項１乃至２３のいずれか１項に記載の情報表示装置。
【請求項２５】
前記情報表示装置は、撮像手段を有する撮像装置であることを特徴とする請求項１乃至２４の何れか１項に記載の情報表示装置。
【請求項２６】
前記表示手段は、前記撮像手段で撮像されているスルー画像の表示及び画像の再生表示を行うことを特徴とする請求項２５に記載の情報表示装置。
【請求項２７】
第１の操作部材と第２の操作部材と第３の操作部材と第４の操作部材とを有する情報表示装置の制御方法であって、
前記第１の操作部材が操作されたことに応じて、該第１の操作部材の操作に応じて選択可能な複数の項目を第１の方向と平行に並べて表示手段に表示するように制御する第１の表示制御ステップと、
前記第１の表示制御ステップによって複数の項目が前記第１の方向と平行に並べて表示された後に前記第１の操作部材が操作されることに応じて、選択される項目を、該複数の項目のうち現在選択されている項目から前記第１の方向の他の項目に切り換えるよう制御する第１の制御ステップと
前記第３の操作部材が操作されたことに応じて、該第３の操作部材の操作に応じて選択可能な複数の項目を、前記第１の方向と平行でない第３の方向と平行に並べて表示手段に表示するように制御する第２の表示制御ステップと、
前記第２の表示制御ステップによって複数の項目が前記第３の方向と平行に並べて表示された後に前記第３の操作部材が操作されることに応じて、選択される項目を、該複数の項目のうち現在選択されている項目から前記第３の方向の他の項目に切り換えるよう制御する第２の制御ステップと
を有することを特徴とする情報表示装置の制御方法。
【請求項２８】
第１の操作部材と第２の操作部材と第３の操作部材と第４の操作部材とを有する情報表示装置の制御方法であって、
前記第１の操作部材が操作されたことに応じて、該第１の操作部材の操作に応じて選択可能な複数の項目を第１の軸上に並べて表示手段に表示するように制御する第１の表示制御ステップと、
前記第１の表示制御ステップによって複数の項目が前記第１の軸上に並べて表示された後に前記第１の操作部材が操作されることに応じて、選択される項目を、該複数の項目のうち現在選択されている項目から第１の方向の他の項目に切り換えるよう制御する第１の制御ステップと
前記第３の操作部材が操作されたことに応じて、該第３の操作部材の操作に応じて選択可能な複数の項目を、前記第１の軸と平行でない第２の軸上に並べて表示手段に表示するように制御する第２の表示制御ステップと、
前記第２の表示制御ステップによって複数の項目が前記第２の軸上に並べて表示された後に前記第３の操作部材が操作されることに応じて、選択される項目を、該複数の項目のうち現在選択されている項目から前記第３の方向の他の項目に切り換えるよう制御する第２の制御ステップと
を有することを特徴とする情報表示装置の制御方法。
【請求項２９】
第１の操作と第２の操作と第３の操作と第４の操作とが可能な操作部材を有する情報表示装置の制御方法であって、
前記操作部材に対する第１の操作が行われたことに応じて、前記第１の操作に応じて選択可能な複数の項目を、第１の方向と平行に並べて表示手段に表示するように制御する第１の表示制御ステップと、
前記第１の表示制御ステップによって複数の項目が前記第１の方向と平行に並べて表示された後に前記操作部材で前記第１の操作が行われたことに応じて、選択される項目を、該複数の項目のうち現在選択されている項目から前記第１の方向の他の項目に切り換えるよう制御する第１の制御ステップと
前記操作部材に対する第３の操作が行われたことに応じて、前記第３の操作に応じて選択可能な複数の項目を、前記第１の方向と平行でない第３の方向と平行に並べて表示手段に表示するように制御する第２の表示制御ステップと、
前記第２の表示制御ステップによって複数の項目が前記第３の方向と平行に並べて表示された後に前記操作部材で前記第３の操作が行われたことに応じて、選択される項目を、該複数の項目のうち現在選択されている項目から前記第３の方向の他の項目に切り換えるよう制御する第２の制御ステップと
を有することを特徴とする情報表示装置の制御方法。
【請求項３０】
第１の操作と第２の操作と第３の操作と第４の操作とが可能な操作部材を有する情報表示装置の制御方法であって、
前記操作部材に対する第１の操作が行われたことに応じて、前記第１の操作に応じて選択可能な複数の項目を、第１の軸上に並べて表示手段に表示するように制御する第１の表示制御ステップと、
前記第１の表示制御ステップによって複数の項目が前記第１の軸上に並べて表示された後に前記操作部材で前記第１の操作が行われたことに応じて、選択される項目を、該複数の項目のうち現在選択されている項目から前記第１の方向の他の項目に切り換えるよう制御する第１の制御ステップと
前記操作部材に対する第３の操作が行われたことに応じて、前記第３の操作に応じて選択可能な複数の項目を、前記第１の軸と平行でない第２の軸上に並べて表示手段に表示するように制御する第２の表示制御ステップと、
前記第２の表示制御ステップによって複数の項目が前記第２の軸上に並べて表示された後に前記操作部材で前記第３の操作が行われたことに応じて、選択される項目を、該複数の項目のうち現在選択されている項目から第３の方向の他の項目に切り換えるよう制御する第２の制御ステップと
を有することを特徴とする情報表示装置の制御方法。
【請求項３１】
コンピュータを、請求項１乃至２６のいずれか１項に記載された情報表示装置の各手段として機能させるプログラム。
【請求項３２】
コンピュータを、請求項１乃至２６のいずれか１項に記載された情報表示装置の各手段として機能させるプログラムを格納したコンピュータが読み取り可能な記憶媒体。
【請求項３３】
前記制御手段は、前記表示制御手段によって複数の項目が前記第１の方向と平行に並べて表示された後に前記第２の操作部材が操作されることに応じて、選択される項目を、該複数の項目のうち現在選択されている項目から前記第１の方向と反対方向である第２の方向の他の項目に切り換え、
前記表示制御手段によって複数の項目が前記第３の方向と平行に並べて表示された後に前記第４の操作部材が操作されることに応じて、選択される項目を、該複数の項目のうち現在選択されている項目から前記第３の方向と反対方向である第４の方向の他の項目に切り換えるように制御することを特徴とする請求項１に記載の情報表示装置。
【請求項３４】
前記制御手段は、前記表示制御手段によって複数の項目が前記第１の軸上に並べて表示された後に前記第２の操作部材が操作されることに応じて、選択される項目を、該複数の項目のうち現在選択されている項目から前記第１の方向と反対方向である第２の方向の他の項目に切り換え、
前記表示制御手段によって複数の項目が前記第２の軸上に並べて表示された後に前記第４の操作部材が操作されることに応じて、選択される項目を、該複数の項目のうち現在選択されている項目から前記第３の方向と反対方向である第４の方向の他の項目に切り換えるように制御することを特徴とする請求項２に記載の情報表示装置。
【請求項３５】
前記制御手段は、前記表示制御手段によって複数の項目が前記第１の方向と平行に並べて表示された後に前記操作部材で前記第２の操作が行われたことに応じて、選択される項目を、該複数の項目のうち現在選択されている項目から前記第１の方向と反対方向である第２の方向の他の項目に切り換え、
前記表示制御手段によって複数の項目が前記第３の方向と平行に並べて表示された後に前記操作部材で前記第４の操作が行われたことに応じて、選択される項目を、該複数の項目のうち現在選択されている項目から前記第３の方向と反対方向である第４の方向の他の項目に切り換えるように制御することを特徴とする請求項１１に記載の情報表示装置。
【請求項３６】
前記制御手段は、前記表示制御手段によって複数の項目が前記第１の軸上に並べて表示された後に前記操作部材で前記第２の操作が行われたことに応じて、選択される項目を、該複数の項目のうち現在選択されている項目から前記第１の方向と反対方向である第２の方向の他の項目に切り換え、
前記表示制御手段によって複数の項目が前記第２の軸上に並べて表示された後に前記操作部材で前記第４の操作が行われたことに応じて、選択される項目を、該複数の項目のうち現在選択されている項目から前記第３の方向と反対方向である第４の方向の他の項目に切り換えるように制御することを特徴とする請求項１２に記載の情報表示装置。
【発明の詳細な説明】
【技術分野】
【０００１】
本発明は、情報表示装置において設定項目を選択する際の選択方法及び表示方法に関する。
【背景技術】
【０００２】
現在、様々な電子機器が開発され、高機能化が進んでいる。多彩な機器の機能を使用する為或いは機器の設定を変更する為に様々な項目選択方法が用いられている。
【０００３】
従来の項目選択方法では、単純にボタンを押下してトグルとして設定を変更する方法や、選択可能項目が一覧表示されてその中から方向ボタンを用いて選択する等の方法があった。また特許文献１によれば十字ボタンそれぞれに特定の機能が割り当てられ、ある方向のボタンを押下する事によりそのボタン方向寄りの画面上に選択候補一覧を表示し、別の軸の方向ボタンにより選択候補を順番に指示可能なものがあった。
【先行技術文献】
【特許文献】
【０００４】
【特許文献１】特開２００６−６４７３７号公報
【発明の概要】
【発明が解決しようとする課題】
【０００５】
しかしながら、一つのボタンのみを用いたトグル選択方式では設定が手軽な代わりに、ボタンを押してみるまでどのような選択候補がどの順番であるのか判らなかった。また、ボタンを誤って押し過ぎると希望の選択候補を選択するのにまた候補を一巡させるだけボタンを押さなければならなかった。逆に、選択候補一覧を展開した場合には視覚的に判りやすいものの上下左右のボタンで操作する必要があり、手軽さに欠ける。特許文献１では、ユーザーはある方向ボタンを押して選択候補一覧を展開した後、選択候補一覧を展開した方向ボタンとは別の軸の方向ボタンを操作して選択候補を指示する必要があり、直感的な素早い操作が行いづらい問題点があった。さらに、選択候補一覧の展開とその後の選択が別軸の方向ボタンで行われる為、必ず３つ以上のボタンが必要であった。
【０００６】
本発明では、上記従来の問題点に鑑み、より少ない操作部を利用し、かつ直感的に判りやすく素早い操作を提供することを目的とする。
【課題を解決するための手段】
【０００７】
上記課題を解決するために、本発明では
第１の操作部材と、
第２の操作部材と、
第３の操作部材と、
第４の操作部材と、
前記第１の操作部材が操作されたことに応じて、該第１の操作部材の操作に応じて選択可能な複数の項目を第１の方向と平行に並べて表示手段に表示するように制御し、
前記第３の操作部材が操作されたことに応じて、該第３の操作部材の操作に応じて選択可能な複数の項目を、前記第１の方向と平行でない第３の方向と平行に並べて表示手段に表示するように制御する表示制御手段と、
前記表示制御手段によって複数の項目が前記第１の方向と平行に並べて表示された後に前記第１の操作部材が操作されることに応じて、選択される項目を、該複数の項目のうち現在選択されている項目から前記第１の方向の他の項目に切り換えるよう制御し、
前記表示制御手段によって複数の項目が前記第３の方向と平行に並べて表示された後に前記第３の操作部材が操作されることに応じて、選択される項目を、該複数の項目のうち現在選択されている項目から前記第３の方向の他の項目に切り換えるよう制御する制御手段と
を有することを特徴とする。
【発明の効果】
【０００８】
このように本実施の形態によれば、割り当てられた機能に対応する選択候補一覧の展開表示をする機能発動操作をするとその操作方向と平行に選択候補一覧を展開表示し、そのまま同じ操作をすることで選択候補一覧中の選択候補を順次指示することができる。したがってより直感的に、かつ少ない操作部材での選択操作が可能となる。
【図面の簡単な説明】
【０００９】
【図１】実施例１における撮像装置１００の構成を示す機能ブロック図である。
【図２】実施例１における撮像装置１００の外観構成の一例を示す図である。
【図３】実施例１における設定項目選択方法並びに表示方法の流れを示すフローチャートの一例である。
【図４】ａはＩＳＯ設定に関して選択候補一覧を表示した図である、ｂは上ボタンが押された場合に展開される選択候補一覧の並び順を模式的に数字で表した図である。
【図５】ａはドライブ設定に関して選択候補一覧を表示した図である、ｂは下ボタンが押された場合に展開される選択候補一覧の並び順を模式的に数字で表した図である。
【図６】ａはストロボ設定に関して選択候補一覧を表示した図である、ｂは右ボタンが押された場合に展開される選択候補一覧の並び順を模式的に数字で表した図である。
【図７】ａはマクロ設定に関して選択候補一覧を表示した図である、ｂは左ボタンが押された場合に展開される選択候補一覧の並び順を模式的に数字で表した図である。
【図８】８つの方向ボタンを備えた撮像装置の外観図。
【図９】８つの方向ボタンを押下することにより展開表示される選択候補一覧の表示例。
【図１０】操作方向と複数の選択候補の表示が厳密には平行ではないが、直感的にほぼ平行である例。
【発明を実施するための形態】
【００１０】
以下、添付図面を参照して、本発明の好適な実施形態を説明する。
【００１１】
＜第１の実施形態＞
図１は、本実施形態における撮像装置１００の構成を示す機能ブロック図である。本実施形態では撮像装置１００に本発明を適用する例を説明するが、本発明はこれに限られるものではなく撮像機能を備えないＰＣ（パーソナルコンピュータ）、携帯電話、ＰＤＡ、画像閲覧ビュアーなどの情報表示装置にも適用可能である。
【００１２】
また、本実施形態の撮像装置１００には、デジタル記憶媒体（例えば、ＥＥＰＲＯＭやハードディスク等のメモリ媒体）にデジタル画像データを記録するデジタルカメラが含まれる。デジタルカメラには、例えば、デジタルムービーカメラ、デジタルスチルカメラ、又は、それらの複合機などが含まれる。
【００１３】
１０は撮影レンズ、１２は絞り機能を備えるシャッター、１４は光学像を電気信号に変換する、ＣＣＤやＣＭＯＳセンサ等の撮像素子、１６は撮像素子１４のアナログ信号出力をデジタル信号に変換するＡ／Ｄ変換器である。
【００１４】
画像処理回路２０は、Ａ／Ｄ変換器１６からのデータ或いはメモリ制御回路２２からのデータに対して所定の画素補間処理や色変換処理を行う。
【００１５】
メモリ制御回路２２は、Ａ／Ｄ変換器１６、タイミング発生回路１８、画像処理回路２０、画像表示メモリ２４、Ｄ／Ａ変換器２６、ＲＡＭ３０、圧縮伸長回路３２を制御する。
【００１６】
Ａ／Ｄ変換器１６の出力データが画像処理回路２０、メモリ制御回路２２を介して、或いはＡ／Ｄ変換器１６の出力データが直接メモリ制御回路２２を介して、画像表示メモリ２４或いはＲＡＭ３０に書き込まれる。
【００１７】
画像表示メモリ２４に書き込まれた表示用の画像データは、Ｄ／Ａ変換器２６を介してＬＣＤや有機ＥＬディスプレイ等の表示部２８により表示される。
【００１８】
また、表示部２８は、システム制御回路５０の指示により任意に表示をＯＮ／ＯＦＦすることが可能であり、表示をＯＦＦにした場合にはデジタルカメラ１００の電力消費を大幅に低減することができる。
【００１９】
ＲＡＭ３０は撮影した静止画像や動画像、記憶媒体２００や不揮発性メモリ５６など他の記憶媒体から読み込んだ画像を格納する記憶装置である。また、ＲＡＭ３０はシステム制御回路５０の作業領域としても使用される。
【００２０】
圧縮伸長回路３２は、ＲＡＭ３０に格納された画像を読み込んで周知のデータ圧縮処理或いは伸長処理を行い、処理を終えたデータをＲＡＭ３０に書き込む。処理を終えてＲＡＭ３０に書き込まれたデータは、システム制御回路５０によって更に画像表示に適したサイズにリサイズされ画像表示メモリ２４に書き込まれる。
【００２１】
システム制御回路５０は例えばＣＰＵであり、メモリ５２に記憶されたプログラムを実行することによりデジタルカメラ１００全体を制御する。したがって本発明においてシステム制御回路５０は表示制御手段としても機能する。メモリ５２はシステム制御回路５０の動作用の定数、変数、プログラム等を記憶する。
【００２２】
不揮発性メモリ５６は電気的に消去・記録可能なメモリであり、例えばＥＥＰＲＯＭ等が用いられる。
【００２３】
モード切替部６０、第１シャッタースイッチＳＷ１（６２）、第２シャッタースイッチＳＷ２（６４）、操作部７０は、システム制御回路５０に各種の動作指示を入力するための操作手段である。
【００２４】
モード切替部６０は、例えば静止画撮影モード、動画撮影モード、再生モードを切り替え設定することが出来る。
【００２５】
第１シャッタースイッチＳＷ１（６２）は、デジタルカメラ１００に設けられたシャッターボタン６１の操作途中（半押し）でＯＮとなる。第１シャッタースイッチＳＷ１（６２）がＯＮとなるとＡＦ（オートフォーカス）処理、ＡＥ（自動露出）処理、ＡＷＢ（オートホワイトバランス）処理、ＥＦ（フラッシュプリ発光）処理等の動作開始を指示する。
【００２６】
第２シャッタースイッチＳＷ２（６４）は、シャッターボタン６１の操作完了（全押し）でＯＮとなり、撮像素子１４からの信号読み出しから記録媒体２００に画像データを書き込むまでの一連の撮像処理の動作開始を指示する。
【００２７】
第２シャッタースイッチＳＷ２（６４）がＯＮとなると、撮像素子１４は撮影レンズ１０、シャッター１２を介して結ばれた被写体像を光電変換してアナログの画像データを出力する。撮像素子１４から出力された画像データはＡ／Ｄ変換器１６でデジタル信号に変換される。Ａ／Ｄ変換器１６を通った画像データは画像処理回路２０で所定の信号処理を施され、ＲＡＭ３０に一時記録される。ＲＡＭ３０に記録された画像データはシステム制御回路５０の制御により圧縮伸長回路３２で周知の圧縮処理を施され、後述の記録媒体２００等の各種記録媒体に記録される。
【００２８】
操作部７０は各種ボタンやタッチパネル等からなる。具体的に例示すると以下の通りとなる。メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン。再生画像移動＋（プラス）ボタン、再生画像−（マイナス）ボタン、撮影画質選択ボタン、露出補正ボタン、日付／時間設定ボタン。各種機能の選択及び切り替えを設定する選択／切り替えボタン、各種機能の決定及び実行を設定する決定ボタン。表示部２８のＯＮ／ＯＦＦを設定する表示ボタン。撮影直後に撮影した画像データを自動再生するクイックレビュー機能を設定するクイックレビューＯＮ／ＯＦＦスイッチ。撮影時にズームと広角を調節する、あるいは再生時に拡大／縮小を調節する、１画面表示／マルチ画面表示を切り替えるズーム操作部。ＪＰＥＧ（Ｊｏｉｎｔ  Ｐｈｏｔｏｇｒａｐｈｉｃ  Ｅｘｐｅｒｔ  Ｇｒｏｕｐ）圧縮の圧縮率を選択するため、或いは撮像素子の信号をそのままデジタル化して記録媒体に記録するＣＣＤＲＡＷモードを選択するための圧縮モードスイッチ。
【００２９】
電源スイッチ７２は、電源オン、電源オフを切り替える。
【００３０】
電源制御部８０は、電池の装着の有無、電池の種類、電池残量の検出を行い、検出結果及びシステム制御回路５０の指示に基づいて、必要な電圧を必要な期間、記録媒体を含む各部へ供給する。
【００３１】
電源８６はアルカリ電池やリチウム電池等の一次電池やＮｉＣｄ電池やＮｉＭＨ電池、Ｌｉ電池等の二次電池、或いはＡＣアダプター等からなり、コネクタ８２及び８４によってデジタルカメラ１００に取り付けられる。
【００３２】
メモリカードやハードディスク等の記録媒体２００は、半導体メモリや磁気ディスク等から構成される記録部２０２と、デジタルカメラ１００とのインターフェース２０４及びコネクタ２０６を有している。記録媒体２００は、媒体側のコネクタ２０６とデジタルカメラ１００側のコネクタ９２とを介してデジタルカメラ１００に装着される。コネクタ９２にはインターフェース９０が接続される。記録媒体２００の装着有無は、記録媒体着脱検知部９８によって検知される。
【００３３】
なお、本実施形態ではデジタルカメラ１００が記録媒体を取り付けるインターフェース及びコネクタを１系統持つものとして説明しているが、記録媒体を取り付けるインターフェース及びコネクタは、単数を含む任意の数備えることができる。また、系統毎に異なる規格のインターフェース及びコネクタを用いても良い。
【００３４】
バリア１０２は、デジタルカメラ１００の、レンズ１０を含む撮像部を覆う事により、撮像部の汚れや破損を防止する。
【００３５】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。
【００３６】
コネクタ（無線通信の場合はアンテナ）１１２は、通信部１１０を介してデジタルカメラ１００を他の機器と接続する。
【００３７】
図２は、撮像装置１００の外観構成の一例を示す図である。
【００３８】
なお、６５、３０１〜３０８は図１の操作部７０に含まれるものである。
【００３９】
表示部２８は、撮影時に被写体に対するスルー画像の表示や、画像再生時には記録してある画像の表示を行い、また撮像装置１００の状態に応じて撮影情報や設定項目等をＧＵＩ表示する。
【００４０】
メニューボタン３０１は、各種の撮像条件の設定のため、及び、撮像装置１００の状態を表示させるためのメニューを表示するためのボタンである。メニューは、選択可能な、及び、値を変更可能な複数の項目のうち少なくともいずれかを含むように構成される。
【００４１】
決定ボタン３０２は、メニューにおいて値や項目や選択候補を決定又は選択するためのボタンである。システム制御回路５０は、決定ボタン３０２が押下されると、その時に指示されている値や項目や選択項目を決定又は選択する。
【００４２】
表示ボタン３０３は、撮像した画像についての撮像情報の表示・非表示を選択したり、画像表示部２８をＥＶＦとして機能させるか否かを切り替えたりするためのボタンである。
【００４３】
ＳＥＴボタン３０４は、種々のメニュー画面において、さらに詳細な条件等を設定するためのメニュー画面に移行するためのボタンである。
【００４４】
６５はズーム操作部、６１はシャッターボタンである。
【００４５】
方向ボタン３０５〜３０８（左ボタン３０５、右ボタン３０６、上ボタン３０７、下ボタン３０８）は、カーソルや指示枠、またはハイライト部等のような、複数の選択候補の中で指示されている選択候補を変更するための上下左右に配置されたボタンである。また、指示されている選択候補を特定する指標（例えば画面中に表示するポインタ）の位置を変更するためにも用いられる。方向ボタン３０５〜３０８はまた、数値（例えば、補正値や日時等を示す数値など）を増減させるためなどにも使用されうる。本発明においては、方向ボタン３０５〜３０８にはそれぞれ撮像装置１００の各種機能が割り当てられた機能ボタンとして機能する。左ボタン３０５、右ボタン３０６、上ボタン３０７、下ボタン３０８を押下する事によりそれぞれに対応する機能の選択候補一覧を表示部２８に展開表示される。このとき、左ボタン３０５を押下することにより展開される選択候補一覧は左ボタン３０５の押下で操作方向と判定される左方向の方向成分を持ったベクトルと平行に展開表示される。右ボタン３０６を押下することにより展開される選択候補一覧は右ボタン３０６の押下で操作方向と判定される右方向の方向成分を持ったベクトルと平行に展開表示される。これら左ボタン３０５と右ボタン３０６を押下することにより展開される選択候補一覧はお互いに平行であり、言い換えれば左ボタン３０５と右ボタン３０６とを結ぶ左右方向の線と平行（以後、横方向）である。上ボタン３０７を押下することにより展開される選択候補一覧は上ボタン３０７の押下で操作方向と判定される上方向の方向成分を持ったベクトルと平行に展開表示される。下ボタン３０８を押下することにより展開される選択候補一覧は下ボタン３０８の押下で操作方向と判定される下方向の方向成分を持ったベクトルと平行に展開表示される。これら上ボタン３０７と下ボタン３０８を押下する事により展開される選択候補一覧はお互いに平行であり、言い換えれば上ボタン３０７と下ボタン３０８とを結ぶ上下方向の線と平行（以後、縦方向）である。その後展開された方向に応じて方向ボタン３０５〜３０８で選択候補の指示送りを行い、選択操作を行う。
【００４６】
電源スイッチ７２は、撮像装置１００を起動及び停止させるため、又は、撮像装置１００の主電源をＯＮ／ＯＦＦするためのボタンである。
【００４７】
モード切替部６０により、撮像装置１００は画像を撮影するための撮影モードと画像を再生するための画像閲覧モードに切り替えられる。
【００４８】
以下、図３を参照して、本実施例の撮像装置１００における設定項目選択方法並びに表示方法に関して説明する。
【００４９】
図３は、各設定を選択候補一覧から選択する処理の流れを示すフローチャートであり、撮像装置１００が設定項目を変更する実施形態について示したものである。この処理はシステム制御回路５０がメモリ５２に記憶されているプログラムをＲＡＭ３０に展開して実行することにより実現される。
【００５０】
上ボタン３０７、下ボタン３０８、左ボタン３０５、右ボタン３０６はそれぞれ機能ボタンとしてＩＳＯ選択、ドライブ切り替え、マクロ切り替え、ストロボ切り替えの機能が割り振られており、対応する方向ボタンを押下するとその機能の選択操作を開始する。
【００５１】
処理を開始するとまず、上ボタン３０７、下ボタン３０８、左ボタン３０５、右ボタン３０６のうちいずれかの方向ボタンが押されたかどうかを判定する。
【００５２】
Ｓ３００１では上ボタン３０７が押されたか否かを判定する。上ボタン３０７が押されたと判定すると操作方向は上方向であると判定し、Ｓ３００５に進む。上ボタン３０７が押されていないと判定するとＳ３００２に進む。
【００５３】
Ｓ３００２では下ボタン３０８が押されたか否かを判定する。下ボタン３０８が押されたと判定すると操作方向は下方向であると判定し、Ｓ３００６に進む。下ボタン３０８が押されていないと判定するとＳ３００３に進む。
【００５４】
Ｓ３００３では右ボタン３０６が押されたか否かを判定する。右ボタン３０６が押されたと判定すると操作方向は右方向であると判定し、Ｓ３００７に進む。右ボタン３０６が押されていないと判定するとＳ３００４に進む。
【００５５】
Ｓ３００４では左ボタン３０５が押されたか否かを判定する。左ボタン３０５が押されたと判定すると操作方向は左方向であると判定し、Ｓ３００８に進む。左ボタンが押されていないと判定するとＳ３００１へ戻り、いずれかの方向ボタンが押されるのを待つ。
【００５６】
Ｓ３００５ではＩＳＯ設定リストを表示する。ＩＳＯ設定リストは撮影の際のＩＳＯ感度設定を行う表示である。図４（ａ）にＩＳＯ設定リストの表示例を示す。ＩＳＯ設定リスト４０１は縦方向に展開し、ＩＳＯ設定リスト４０１の各選択候補の並び順が機能ボタンと同じ上ボタンが押された場合に指示枠４０３が順送りになる方向順に表示する。図４（ｂ）はこの並び順を数字で示したものであり、下から上側へ向う方向が順方向である。図４（ａ）の例では一般的に最もよく使うと考えられるＡＵＴＯが一番目、ＡＵＴＯに準ずるＨＩオートが２番目、続いてマニュアルのＩＳＯ感度が数字の若い順に順方向に並んでいる。
【００５７】
Ｓ３００６ではドライブ設定リストを表示する。ドライブ設定リストは単写／連写の切り替え、セルフタイマー時のタイマー時間設定を行う表示である。図５（ａ）にドライブ設定リストの表示例を示す。ドライブ設定リスト５０１は縦方向に展開し、ドライブ設定リスト５０１の各選択候補の並び順が機能ボタンと同じ下ボタンが押された場合に指示枠４０３が順送りになる方向順に表示する。図５（ｂ）はこの並び順を数字で示したものであり、上から下側へ向う方向が順方向である。図５（ａ）の例では一般的に最もよく使うと考えられる単写でセルフタイマーオフである設定が一番目、連写が２番目、続いてセルフタイマーの各設定候補が一般的に使われる頻度が高いと考えられる順に順方向に並んでいる。
【００５８】
Ｓ３００７ではストロボ設定リストを表示する。ストロボ設定リストはストロボのＯＮ／ＯＦＦ／自動等のストロボに関する設定を切り替える表示である。図６（ａ）にストロボ設定リストの表示例を示す。ストロボ設定リスト６０１は横方向に展開し、ストロボ設定リスト６０１の各選択候補の並び順が機能ボタンと同じ右ボタンが押された場合に指示枠４０３が順送りになる方向順に表示する。図６（ｂ）はこの並び順を数字で示したものであり、左から右側へ向う方向が順方向である。図６（ａ）の例では一般的に最もよく使うと考えられるストロボオートの設定が一番目、常時ストロボが２番目、ストロボ発行禁止が３番目というように通常使われる頻度が高いと考えられる順に順方向に並んでいる。
【００５９】
Ｓ３００８ではマクロ設定リストを表示する。マクロ設定リストは、マクロモード／遠景モード／通常域撮影モードを切り替える表示である。図７（ａ）にマクロ設定リストの表示例を示す。マクロ設定リスト７０１は横方向に展開し、マクロ設定リスト７０１の各選択候補の並び順が機能ボタンと同じ左ボタンが押された場合に指示枠４０３が順送りになる方向順に表示する。図７（ｂ）はこの並び順を数字で示したものであり、右から左側へ向う方向が順方向である。図７（ａ）の例では撮影域が遠い順に、一番目に遠景モード、２番目に通常域撮影モード、３番目にマクロ撮影モードという順番で並んでいる。
【００６０】
このように、上あるいは下ボタンが押下された場合には選択候補一覧は縦方向に展開し、右あるいは左ボタンが押下された場合には選択候補一覧は横方向に展開する。選択候補一覧で表示される各選択候補の並び順は、機能ボタンと同じボタンが続けて押された場合に順送りになる方向順に順序付けて並べられている。選択候補一覧で表示される各選択候補はこの順送りになる方向順に一般的によく使うと考えられる設定順や、ＩＳＯ設定リストでの数字順やマクロ設定リストでの遠い順のように一般的なある順序にしたがって並べられる。このような並びで表示することによってユーザーはより直感的な操作が可能となる。なお本実施の形態では一般的に最もよく使うと考えられる設定は撮像装置１００の工場出荷時の初期設定値になっている。したがって初期設定に戻すことで撮像装置１００の中でどの設定が一般的に良く使うと考えられているのかを検証することが可能である。
【００６１】
なお、Ｓ３００５〜Ｓ３００８における各機能の選択候補一覧を展開表示する際、指示枠４０３は図４（ｂ）〜図７（ｂ）に示すような並び順の一番目ではなく、選択候補一覧を展開表示する直前の設定状態である選択候補を指示するように初期表示する。この初期表示は現在の設定状態を表しており、これによりユーザーは現在の設定状態を確認することができる。
【００６２】
また図４（ａ）〜図７（ａ）において、選択候補一覧上の各選択候補はアイコン表示されており、指示枠４０３が置かれている選択候補についてのみ画面中央部で詳細情報が表示されている（４０２、５０２、６０２、７０２）。これは、選択候補一覧上で各選択候補の詳細情報を表示してしまうと選択候補一覧に表示できる選択候補数が表示スペースの関係で少なくなってしまうためである。選択候補一覧上では選択候補をアイコン表示をすることで、限られた表示スペースに多くの選択候補を表示することが可能となる。これにより本発明を適用した情報表示でも、各方向ボタンに割り振られている機能の選択候補がユーザーにとって確認しやすくなっている。
【００６３】
Ｓ３００５、Ｓ３００６で選択候補一覧を表示すると、Ｓ３００９にて選択候補一覧を表示させておく時間を計る為のタイマーをセットし、カウントダウンを開始する。タイマーをセットするとＳ３０１０に進む。
【００６４】
Ｓ３０１０では上ボタン３０７あるいは下ボタン３０８が押されたかどうかを判断する。上ボタン３０７あるいは下ボタン３０８が押されたと判断するとＳ３０１２に進む。Ｓ３０１２ではＳ３０１０において押された方向ボタンに対応する方向へ指示枠４０３を移動し、その後Ｓ３００９へと戻りタイマーをセットしなおす。Ｓ３０１０で上ボタン３０７あるいは下ボタン３０８のいずれも押されていないと判断するとＳ４００１へ進む。
【００６５】
Ｓ４００１では現在指示枠４０３が置かれている選択候補に対する決定ボタンが押されたかどうかを判断する。決定ボタンが押されたと判断した場合にはＳ４００５へと進み、その時点で指示枠４０３が置かれている選択候補が設定項目として選択されたと決定され、撮像装置１００に決定された設定項目を反映して処理を終了する。Ｓ４００１にて決定ボタンが押されなかったと判断した場合にはＳ４００２へと進む。
【００６６】
Ｓ４００２では上ボタン３０７と下ボタン３０８以外のボタンが押されたかどうかを判断する。上ボタン３０７と下ボタン３０８以外のボタンが押されたと判断した場合には、その時点で指示枠４０３が置かれている選択候補は決定とならず、Ｓ４００４へと進み項目選択はキャンセルして終了となる。Ｓ４００２で上ボタン３０７と下ボタン３０８以外のボタンが押されていないと判断した場合にはＳ４００３へと進む。
【００６７】
Ｓ４００３ではＳ３００９にてセットしたタイマーがタイムアウトしているかどうかを判断する。タイムアウトしていない場合にはＳ３０１０へ戻り処理を繰り返す。このようにＳ３０１０からＳ４００３の間でタイマーがタイムアウトする前に、他のボタンを押さずに選択候補一覧の表示方向に平行な操作方向の方向ボタン（上ボタン３０７、下ボタン３０８）を繰り返し押下する事により選択候補の指示を自由に変更可能である。Ｓ４００３でタイムアウトしている場合にはその時点で指示枠４０３が置かれている選択候補は決定とならず、Ｓ４００４へと進み項目選択はキャンセルして終了となる。
【００６８】
Ｓ３００７、Ｓ３００８で選択候補一覧を表示すると、Ｓ３１０９にて選択候補一覧を表示させておく時間を計る為のタイマーをセットし、カウントダウンを開始する。タイマーをセットするとＳ３１１０に進む。
【００６９】
Ｓ３１１０では左ボタン３０５あるいは右ボタン３０６が押されたかどうかを判断する。左ボタン３０５あるいは右ボタン３０６が押されたと判断するとＳ３１１２に進む。Ｓ３１１２ではＳ３１１０において押された方向ボタンに対応する方向へ指示枠４０３を移動し、その後Ｓ３１０９へと戻りタイマーをセットしなおす。Ｓ３１１０で左ボタン３０５あるいは右ボタン３０６のいずれも押されていないと判断するとＳ４１０１へ進む。
【００７０】
Ｓ４１０１では現在指示枠４０３が置かれている選択候補に対する決定ボタンが押されたかどうかを判断する。決定ボタンが押されたと判断した場合にはＳ４１０５へと進み、その時点で指示枠４０３が置かれている選択候補が設定項目として選択されたと決定され、撮像装置１００に決定された設定項目を反映して処理を終了する。Ｓ４１０１にて決定ボタンが押されなかったと判断した場合にはＳ４１０２へと進む。
【００７１】
Ｓ４１０２では左ボタン３０５と右ボタン３０６以外のボタンが押されたかどうかを判断する。左ボタン３０５と右ボタン３０６以外のボタンが押されたと判断した場合には、その時点で指示枠４０３が置かれている選択候補は決定とならず、Ｓ４１０４へと進み項目選択はキャンセルして終了となる。Ｓ４１０２で左ボタン３０５と右ボタン３０６以外のボタンが押されていないと判断した場合にはＳ４１０３へと進む。
【００７２】
Ｓ４１０３ではＳ３００９にてセットしたタイマーがタイムアウトしているかどうかを判断する。タイムアウトしていない場合にはＳ３１１０へ戻り処理を繰り返す。このようにＳ３１１０からＳ４１０３の間でタイマーがタイムアウトする前に、他のボタンを押さずに選択候補一覧の表示方向に平行な操作方向の方向ボタン（左ボタン３０５、右ボタン３０６）を繰り返し押下する事により選択候補の指示を自由に変更可能である。Ｓ４１０３でタイムアウトしている場合にはその時点で指示枠４０３が置かれている選択候補は決定とならず、Ｓ４１０４へと進み項目選択はキャンセルして終了となる。
【００７３】
このように本実施の形態によれば、ある機能を割り当てられ、割り当てられた機能に対応する選択候補一覧の展開表示をする機能ボタンである方向ボタンを操作すると、機能ボタンの方向成分を持ったベクトルと平行に選択候補一覧を展開表示する。そしてそのまま機能ボタンと同じ方向ボタンを操作することで選択候補一覧中の選択候補を指示枠によって順次指示することが可能である。また機能ボタンと反対方向の方向ボタンを操作することで、機能ボタンと同じ方向ボタンの操作とは逆向きに指示枠を送ることができ、反対方向に順次指示できる。このとき、選択候補一覧における選択候補の並び順は、機能ボタンと同じ方向ボタンを続けて押した場合に指示枠が順送り、機能ボタンと反対方向の方向ボタンを押したときに指示枠が逆順次送りになるように並べられている。したがって、より直感的に、かつ少ない操作部材での選択操作が可能となる。
【００７４】
また、単純にボタンを押下してトグルとして設定を変更する方法とは異なり、選択候補一覧を表示するので，ユーザーは選択候補に何がどの順番であるのか認識することができ、希望する選択候補を素早く指示することができる。
【００７５】
なお本実施の形態では、決定ボタンが押されることでその時点で指示枠４０３が置かれている選択候補が決定されるとしたが、指示枠４０３を移動した時点で移動先の選択候補で決定する構成としても良い。すなわち、Ｓ３０１２またはＳ３１１２で指示枠４０３が移動するごとに移動先の選択候補で決定とし、撮像装置１００に決定された設定項目を反映する。したがってその後Ｓ４００１〜Ｓ４００３の処理の結果Ｓ４００４でキャンセルになった場合またはＳ４１０１〜Ｓ４１０３の処理の結果Ｓ４１０４でキャンセルになった場合は、撮像装置１００は最後に指示枠４０３が置かれていた選択候補の設定状態となる。
【００７６】
また、機能ボタンが押されて選択候補一覧が展開表示される際、機能ボタンの押下による操作方向で、選択候補の並びの順方向でもある方向に、選択候補一覧が徐々に開くようなアニメーション効果をつけて表示してもよい。こうすることで、ユーザーはどの方向ボタンが機能ボタンだったのか、また、どの方向が順方向なのかを認識しやすくなる。
【００７７】
＜第２の実施形態＞
次に、実施例２について説明する。
【００７８】
実施例１では、機能ボタンである各方向ボタンが１度押下されると対応する各選択候補一覧が表示され、指示枠は現在の設定状態に初期表示される。しかし各方向ボタンが１度押下され選択候補一覧が表示された時点で、指示枠を現在の設定状態である選択候補から一つ順送りに進めて表示してもよい。そうする事により、機能ボタンを押した瞬間に指示枠が現在の設定状態より１つ移動して表示される。したがってその機能ボタンと同じ方向ボタンのみを押していった場合は従来と同様に機能のトグルボタンとして動作し、その上で反対方向の方向ボタンを押すと逆へ指示枠を戻す事が可能となる。ユーザーは従来どおりの手軽で素早い機能変更を可能としながらも、画面上に選択候補一覧が表示され、また逆方向にも指示枠が送れる事になり、より便利で判りやすい操作を行う事が可能となる。
【００７９】
＜第３の実施形態＞
第３の実施形態について説明する。
【００８０】
これまで第１及び第２の実施形態では２軸ある操作部材として、十字に配置された方向ボタンを例にあげて説明してきたが、本発明の操作部材の形状はこれに限定されるものではない。複数軸方向に操作可能な操作部材であれば本発明が適用できる。例えば棒状の突起が特徴であるいわゆるジョイスティックや、トラックボール、十字型のボタン部材であるいわゆる十字キー、タッチパネル等にて操作を行う場合でも方向ボタンと同様に適用できる。
【００８１】
例えばトラックボールは球状の操作部材がある程度表面に露出しており、露出していない部分に二軸の移動量検知機構が備わっている。この二軸のうちトラックボールの操作された方向と平行な軸方向に選択候補一覧を展開表示すればよい。選択候補一覧の各選択候補の並び順はトラックボールの操作された方向が順方向となるように並べて表示する。このような構成とすることでトラックボールを操作すると選択候補一覧の展開表示と指示枠の移動が同じ操作で行う事が可能となり、操作者はより直感的で素早い操作が可能となる。
【００８２】
また、今までの例では軸が縦方向と横方向の２つである操作部材を例に挙げて説明してきたが，軸の数も２つに限られるものではない。
【００８３】
図８に、軸が４軸で８つの方向ボタンを備えた撮像装置の例を示す。８０１〜８０８は方向ボタンであり、それぞれ、上ボタン８０１、右上ボタン８０２、右ボタン８０３、右下ボタン８０４、下ボタン８０５、左下ボタン８０６、左ボタン８０７、左上ボタン８０８である。これら８つの方向ボタンにはそれぞれ機能が割り当てられており、いずれかの方向ボタンが押されるとそれぞれに対応した方向に割り当てられた機能の選択候補一覧が展開表示される。
【００８４】
図９に、図８の撮像装置の方向ボタンを押下することにより展開表示される選択候補一覧の表示例を示す。図９［１］〜［８］に示す図は、それぞれ以下の方向ボタンを押下したときに展開表示される選択候補一覧の表示例を示している。［１］は上ボタン８０１、［２］は右上ボタン８０２、［３］は右ボタン８０３、［４］は右下ボタン、［５］は下ボタン８０５、［６］は左下ボタン８０６、［７］は左ボタン８０７、［８］は左上ボタン８０８。展開される選択候補一覧は展開する際に押下された方向ボタンを押下することによって判定される操作方向の方向成分を持つベクトルと平行な方向に展開表示される。言い換えれば展開する際に押下された方向ボタンと、それと１８０度反対方向ボタンとを結ぶ線と平行な方向である。また選択候補一覧の各選択候補の並び順は展開する際に押下された方向ボタンの方向が順方向となるように並べて表示する。図９の各表示例の数字はこの並び順を示したものであり、数字の増える方向が順方向である。展開された選択候補一覧については展開する際に押下された方向ボタンと、それと１８０度反対の方向ボタンとで選択候補の指示を行う。
【００８５】
なお、本発明の特徴は操作方向と複数の選択候補の表示が連動することによってユーザーがより直感的に選択操作が可能となるところにあり、ユーザーにとって直感的に方向を感じ取ることが可能な範囲の誤差は本発明に含まれる。すまわち、複数の選択候補を操作方向の方向成分を持ったベクトルと平行に並べて表示するとしたが、厳密に平行であることに限定したものではない。ユーザーにとって直感的に操作方向とほぼ平行であると認識できるものならば本発明の目的を達成できる。同様に、機能発動の操作と反対方向への操作で逆向きに選択候補の指示を送ることができるとしたが、厳密に１８０度反対の方向に限定されるものではない。これもユーザーにとって直感的にほぼ反対方向であると認識できるものならば本発明の目的を達成できる。
【００８６】
図１０にこのような操作方向と複数の選択候補の表示が厳密には平行ではないが、直感的にほぼ平行である例を示す。図１０は本発明の撮像装置１００に、Ｓ３００５においてＩＳＯ設定リスト４０１が表示されたときの例であり、各部の名称は図２、図４と同様である。ここでは上ボタン３０７を押下することによりＩＳＯ設定リスト４０１はほぼ縦方向に展開するが，上方向の方向成分を持つベクトルと厳密には平行ではない。しかし左ボタン３０５と右ボタン３０６とを結ぶ軸とよりは、上ボタン３０７、下ボタン３０８とを結ぶ軸と平行な方向（上方向の方向成分を持つベクトルと平行な方向）の方が平行に近いのはユーザーから見て明らかである。この例において，上ボタン３０７で厳密ではないが順方向（上方向）に選択候補の指示枠４０３を送ることができ、下ボタン３０８で順方向と厳密ではないが反対方向（下方向）に指示枠４０３を送ることができる。このような場合を本願発明は想定しうるものである。
【００８７】
＜その他の実施形態＞
上述した実施の形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００８８】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００８９】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【符号の説明】
【００９０】
３０  ＲＡＭ
５０  システム制御回路
５２  メモリ
７０  操作部
３０５  左ボタン
３０６  右ボタン
３０７  上ボタン
３０８  下ボタン
４０１  ＩＳＯ設定リスト
４０３  指示枠
５０１  ドライブ設定リスト
６０１  ストロボ設定リスト
７０１  マクロ設定リスト
【図１】
2012022709.tif 000003
【図２】
2012022709.tif 000004
【図３】
2012022709.tif 000005
【図４】
2012022709.tif 000006
【図５】
2012022709.tif 000007
【図６】
2012022709.tif 000008
【図７】
2012022709.tif 000009
【図８】
2012022709.tif 000010
【図９】
2012022709.tif 000011
【図１０】
2012022709.tif 000012